(57)【特許請求の範囲】
【請求項１】
ヒータを内蔵した気化器を有する気化式バーナーと、水を前記気化式バーナーの熱で加熱しカランなどに給湯する熱交換器と、給湯していることを検出する給湯検出器と、給湯温度を検出する給湯温度検出器と、前記検出器等の情報により給湯使用の有無を検出し、時間帯毎に使用有無のデータを蓄積し、前記蓄積したデータをもとに時間帯毎のＯＮ／ＯＦＦパターンを決定する通電学習手段と、少なくとも運転スイッチと学習運転スイッチと温度設定手段を有した操作器と、前記運転スイッチがＯＦＦの場合は前記気化式バーナーの制御を停止し、前記運転スイッチがＯＮの場合でも前記学習運転スイッチがＯＮで前記通電学習手段で学習したＯＮ／ＯＦＦパターンのＯＦＦ時間帯の場合前記気化式バーナーの制御を停止し、前記運転スイッチがＯＮで前記学習運転スイッチがＯＦＦの場合および前記運転スイッチがＯＮで前記学習運転スイッチがＯＮで学習したＯＮ／ＯＦＦパターンがＯＮ時間帯の場合、前記前記気化式バーナーを制御し、前記給湯検知器で給湯を検出したら前記給湯温度検出器で検出した給湯温度が前記温度設定手段で設定した温度になるようにするとともに前記学習運転スイッチがＯＮのとき前記運転スイッチをＯＦＦからＯＮにすると学習したＯＮ／ＯＦＦパターンとは関係なく運転スイッチはＯＮからスタートする制御器より構成された石油給湯装置。
【請求項２】
温度設定や運転の状態を表示する表示手段を備え、制御器は前記運転スイッチがＯＦＦの場合は気化式バーナーの制御を停止し、前記運転スイッチがＯＮの場合でも学習運転スイッチがＯＮで通電学習手段で学習したＯＮ／ＯＦＦパターンのＯＦＦ時間帯の場合前記気化式バーナーの制御を停止し、前記運転スイッチがＯＮで前記学習運転スイッチがＯＦＦの場合および前記運転スイッチがＯＮで前記学習運転スイッチがＯＮで学習したＯＮ／ＯＦＦパターンがＯＮ時間帯の場合、前記気化式バーナーを制御し、給湯検知器で給湯を検出したら給湯温度検出器で検出した給湯温度が温度設定手段で設定した温度になるようにし、操作器の表示手段には少なくとも運転表示器と、給湯温度の設定を表示する温度設定表示器を備え、運転ＳＷがＯＦＦのときは少なくとも前記運転表示器と前記温度設定表示器を消灯し、前記運転ＳＷがＯＮで前記学習運転ＳＷがＯＮで学習したＯＮ／ＯＦＦパターンにより気化式バーナーの制御を停止しているときには前記運転表示器を点灯し、少なくとも前記温度設定表示器を消灯し、前記制御器で気化式バーナーを制御しているときは前記運転表示器と前記温度設定表示器を点灯する表示制御を備えた請求項１記載の石油給湯装置。
【請求項３】
操作器は学習通電スイッチを有しと、制御器は運転スイッチがＯＦＦの場合は気化式バーナーの制御を停止し、運転スイッチがＯＮの場合でも前記学習運転スイッチがＯＮで通電学習手段で学習したＯＮ／ＯＦＦパターンのＯＦＦ時間帯の場合前記気化式バーナーの制御を停止し、前記運転スイッチがＯＮで前記学習運転スイッチがＯＦＦの場合および前記運転スイッチがＯＮで前記学習運転スイッチがＯＮで学習したＯＮ／ＯＦＦパターンがＯＮ時間帯の場合前記気化式バーナーを制御し、給湯検知器で給湯を検出したら給湯温度検出器で検出した給湯温度が前記温度設定手段で設定した温度になるようにし、前記運転スイッチがＯＮで前記学習運転スイッチがＯＮのとき前記学習通電スイッチが操作されるとその時点の気化式バーナー制御のＯＮ／ＯＦＦ状態を反転する制御をする請求項１記載の石油給湯装置。
【請求項４】
操作器は運転切替スイッチを備え、制御器は運転ＯＮを継続する状態と、運転ＯＮを維持し一定時間給湯されなかったら自動ＯＦＦする状態と、通電学習手段により学習したＯＮ／ＯＦＦパターンに従って運転ＯＮ／ＯＦＦする状態を前記運転切替スイッチにより切り替え、運転ＯＦＦ時は気化式バーナーの制御を停止し、運転ＯＮ時は前記気化式バーナーを制御し、給湯検知器で給湯を検出したら給湯温度検出器で検出した給湯温度が温度設定手段で設定した温度になるように制御する請求項１記載の石油給湯装置。
【請求項５】
制御器は運転スイッチがＯＦＦの場合は運転ＯＦＦとし、前記運転スイッチがＯＮの場合は運転ＯＮを継続する状態と、運転ＯＮを維持し一定時間給湯されなかったら自動ＯＦＦする状態と、通電学習手段により学習したＯＮ／ＯＦＦパターンに従って運転ＯＮ／ＯＦＦする状態を前記運転切替スイッチにより切り替え、運転ＯＦＦ時は気化式バーナーの制御を停止し、運転ＯＮ時は前記気化式バーナーを制御し、給湯検知器で給湯を検出したら給湯温度検出器で検出した給湯温度が温度設定手段で設定した温度になるよう制御する請求項４記載の石油給湯装置。
【請求項６】
制御器は運転ＯＮを継続する連続運転状態と、運転ＯＮを維持し一定時間給湯されなかったら自動ＯＦＦする自動ＯＦＦ運転状態と、通電学習手段により学習したＯＮ／ＯＦＦパターンに従って運転ＯＮ／ＯＦＦする学習運転状態を運転切替スイッチにより切り替え、運転ＯＦＦ時は気化式バーナーの制御を停止し、運転ＯＮ時は前記気化式バーナーを制御し、給湯検知器で給湯を検出したら給湯温度検出器で検出した給湯温度が温度設定手段で設定した温度になるようにし、操作器の表示手段には時間帯に対応して表示素子を配置し、学習運転状態の時は前記通電学習手段により学習したＯＮ／ＯＦＦパターンに従って表示素子を点灯し、自動ＯＦＦ運転状態では前記表示素子を全て消灯し、連続運転状態では前記表示素子を全て点灯する運転パターン表示器を設けた請求項２記載の石油給湯装置。
【請求項７】
操作器は少なくとも運転スイッチと運転切替スイッチと運転パターン変更スイッチと温度設定手段と温度設定や運転の状態を表示する表示手段を有し、少なくとも通電学習手段により学習したＯＮ／ＯＦＦパターンに従って運転ＯＮ／ＯＦＦする学習運転状態を有し、運転ＯＦＦ時は気化式バーナーの制御を停止し、運転ＯＮ時は前記気化式バーナーを制御し、給湯検知器で給湯を検出したら給湯温度検出器で検出した給湯温度が温度設定手段で設定した温度になるようにする制御器と、前記操作器の表示手段には時間帯に対応して表示素子を配置し、学習運転状態の時は前記通電学習手段により学習したＯＮ／ＯＦＦパターンに従って前記表示素子を点灯する運転パターン表示器を設け、前記運転パターン変更スイッチによって前記通電学習手段によって学習したＯＮ／ＯＦＦパターンを各時間帯毎に変更するＯＮ／ＯＦＦパターン変更手段を設けた請求項２記載の石油給湯装置。
【請求項８】
ＯＮ／ＯＦＦパターン変更手段は、運転パターン変更スイッチによって通電学習手段によって学習したＯＮ／ＯＦＦパターンを時間帯毎に学習の影響を受けないように固定した上で変更する請求項７記載の石油給湯装置。
【発明の詳細な説明】
【０００１】
【発明の属する技術分野】
本発明は石油給湯装置、特にタイマ機能を有し、消費電力を節約する機能を有した石油給湯装置に関する。
【０００２】
【従来の技術】
従来のこの種の石油給湯装置は気化器で石油を気化させて燃焼させるため、いつでも使えるようにするためには気化器を予熱しておく必要があり、電気ヒータで石油を気化可能な温度に常時暖めている。さらに、省電力化をはかるため２４時間プログラムタイマや１時間切り忘れタイマを設け使用しない時間帯は気化器の予熱をＯＦＦするタイマ機能を付加しているようなものが一般的であった。
【０００３】
この石油給湯機は図１９に示すように気化式バーナー１で熱交換器２を介して給水口３より供給される水を加熱し給湯口４から給湯する。制御器５はタイマ部６と運転スイッチ７からの信号で運転ＯＮ／ＯＦＦするようになっている。さらに運転ＯＮのときは給湯検出器８、給湯温度検出器９、温度設定手段１０からの情報をもとに制御器５が気化式バーナー１を制御して給湯温度が給湯設定温度と一致するように制御する。
【０００４】
そしてタイマ部６は２４時間プログラムタイマで、タイマ設定スイッチ１１によって１時間毎にＯＮ／ＯＦＦを設定し、タイマ部６の機能をＯＮ／ＯＦＦできるようになっている。タイマ部６の機能をＯＮしているときは時間帯毎に設定されたパターンに従ってＯＮ／ＯＦＦ切り替えるようになっている。またこのとき運転スイッチ７を操作することでタイマ部６によって設定された運転状態を反転させることができるようになっていた。またタイマ部６の機能がＯＦＦしているときは運転スイッチ７の操作でＯＮ／ＯＦＦを切り替えるようになっていた。
【０００５】
この構成により、タイマ部６で必要なときだけ運転ＯＮにして、運転ＯＮのときに石油を気化させるために必要とする電気ヒータの消費電力を節約できるようになっていた。
【０００６】
またタイマ部６によって運転ＯＦＦしているときも、運転スイッチを操作して一時的に運転ＯＮにして石油給湯器を使用できるようになっていた。
【０００７】
この構成により、タイマ部６でＯＦＦに設定している時間帯に使用したい場合も運転スイッチを操作することで一時的に運転ＯＮにして使用したり、運転ＯＮに設定している時間帯で使用しない場合、運転スイッチを操作してその時間帯をＯＦＦして使い勝手をよくしていた。
【０００８】
【発明が解決しようとする課題】
しかしながら上記従来の石油給湯装置では、長期間外出するとき無駄な消費電力を節約するためにはタイマ部の機能をＯＦＦしたうえで運転スイッチをＯＦＦしなければならず操作が煩わしい。給湯器は生活に必要不可欠な商品でだれもが使用する。煩わしい操作が苦手で、設置時にタイマなどの煩わしい設定は業者にしてもらって運転スイッチのＯＮ／ＯＦＦだけで使用している人が少なくない。
【０００９】
このようなことから、外出時に運転スイッチをＯＦＦしたのに、帰宅してみると勝手に給湯器の運転がＯＮになっていたという問題があった。
【００１０】
また、このようなことをなくすためタイマ部６の機能をＯＦＦにして、折角ついている便利な機能を無駄にしているという問題があった。
【００１１】
さらに、タイマ部の設定そのものも操作が複雑なうえ、設定は一旦設定すると設定を変えない限り決まった時間にＯＮ／ＯＦＦするので季節によってＯＮ／ＯＦＦ時間を変更する必要があり、このことも折角ついている機能が使われなくなるという問題があった。
【００１２】
【課題を解決するための手段】
本発明は上記問題を解決することを課題とし、そのため、使用パターンのデータを時間帯毎に蓄積しそのデータをもとに時間帯毎のＯＮ／ＯＦＦパターンを学習し、学習したＯＮ／ＯＦＦパターンに従って運転をＯＮ／ＯＦＦする。
【００１３】
さらに、運転スイッチをＯＦＦすれば、学習運転機能がＯＮしていて、学習したＯＮ／ＯＦＦパターンがＯＮの時間帯でも運転をＯＮしないようにしたものである。
【００１４】
上記発明によれば使用パターンを学習して運転をＯＮ／ＯＦＦするため、季節変化等の要因で生活パターンが変化しても、ＯＮ／ＯＦＦパターンが自然に追随して変化するため、設定操作そのものをする必要がなく煩わしい操作をなくすことができる。
【００１５】
また運転スイッチをＯＦＦすれば、学習運転機能がＯＮしていてＯＮ／ＯＦＦパターンがＯＮの時間帯になっても運転ＯＮにならないようになっているので、長期外出などの時は運転スイッチさえＯＦＦすれば、確実に石油給湯装置をＯＦＦすることができる。
【００１６】
【発明の実施の形態】
本発明の請求項１にかかる石油給湯装置はヒータを内蔵した気化式バーナーと、水を前記気化式バーナーの熱で加熱しカランなどに給湯する熱交換器と、給湯していることを検出する給湯検出器と、給湯温度を検出する給湯温度検出器と、前記検出器等の情報により給湯使用の有無を検出し、時間帯毎に使用有無のデータを蓄積し、前記蓄積したデータをもとに時間帯毎のＯＮ／ＯＦＦパターンを決定する通電学習手段と、少なくとも運転スイッチと学習運転スイッチと温度設定手段を有した操作器と、前記運転スイッチがＯＦＦの場合は前記気化式バーナーの制御を停止し、前記運転スイッチがＯＮの場合でも前記学習運転スイッチがＯＮで前記通電学習手段で学習したＯＮ／ＯＦＦパターンのＯＦＦ時間帯の場合前記気化式バーナーの制御を停止し、前記運転スイッチがＯＮで前記学習運転スイッチがＯＦＦの場合および前記運転スイッチがＯＮで前記学習運転スイッチがＯＮで学習したＯＮ／ＯＦＦパターンがＯＮ時間帯の場合前記気化式バーナーを制御し、前記給湯検知器で給湯を検出したら給湯温度検出器で検出した給湯温度が前記温度設定手段で設定した温度になるようにするとともに前記学習運転スイッチがＯＮのとき前記運転スイッチをＯＦＦからＯＮにすると学習したＯＮ／ＯＦＦパターンとは関係なくＯＮからスタートする制御器を有するものである。
【００１７】
そして、運転スイッチと学習運転スイッチをＯＮにすれば、通電学習手段が過去の使用パターンから時間帯毎に学習したＯＮ／ＯＦＦパターンを決定し、決定したＯＮ／ＯＦＦパターンに従って制御器が気化式バーナーの制御をＯＮ／ＯＦＦするのでプログラムタイマの設定に相当する複雑な操作をすることなしに使用しない時間帯の運転を自動的に停止することができるので、機械の操作の苦手な使用者にも使用してもらうことができ、省電力の効果をだすことができる。
【００１８】
また、学習運転スイッチのＯＮ／ＯＦＦ、通電学習手段によって学習したＯＮ／ＯＦＦパターンにかかわらず運転スイッチがＯＦＦの場合は制御器が気化式バーナーの制御を停止し運転ＯＦＦの状態にするため、運転スイッチさえＯＦＦすれば勝手に石油給湯装置が運転ＯＮになってしまうことを防止することができ、使用者に安心感を与えることができる。
【００１９】
さらに、学習したＯＮ／ＯＦＦパターンによって運転をＯＮ／ＯＦＦする学習運転で使用していて運転がＯＦＦしているときも、運転スイッチをＯＦＦ、ＯＮすることでＯＦＦ時間帯を一時的にＯＮすることができる。
【００２０】
本発明の請求項２にかかる石油給湯装置は請求項１の構成に於いて気化器を有する気化式バーナーと、操作器は温度設定手段と温度設定や運転の状態を表示する表示手段を備え、制御器は運転スイッチがＯＦＦの場合は気化式バーナーの制御を停止し、前記運転スイッチがＯＮの場合でも学習運転スイッチがＯＮで前記通電学習手段で学習したＯＮ／ＯＦＦパターンのＯＦＦ時間帯の場合前記気化式バーナーの制御を停止し、前記運転スイッチがＯＮで前記学習運転スイッチがＯＦＦの場合および前記運転スイッチがＯＮで前記学習運転スイッチがＯＮで学習したＯＮ／ＯＦＦパターンがＯＮ時間帯の場合前記前記気化式バーナーを制御し、給湯検知器で給湯を検出したら給湯温度検出器で検出した給湯温度が温度設定手段で設定した温度になるようにし、前記操作器の表示手段には少なくとも運転表示器と、給湯温度の設定を表示する温度設定表示器を備え、前記運転ＳＷがＯＦＦのときは少なくとも前記運転表示器と前記温度設定表示器を消灯し、前記運転ＳＷがＯＮで前記学習運転ＳＷがＯＮで学習したＯＮ／ＯＦＦパターンにより気化式バーナーの制御を停止しているときには前記運転表示器を点灯し、少なくとも前記温度設定表示器を消灯し、前記制御器で気化式バーナーを制御しているときは前記運転表示器と前記温度設定表示器を点灯する表示制御器を備えたものである。
【００２１】
そして、気化式バーナーの制御をＯＮしているときは運転表示器と温度設定表示器を点灯し、運転スイッチをＯＦＦして運転がＯＦＦしているときは運転表示器と温度設定表示器を消灯し、学習運転スイッチがＯＮの状態で学習運転により運転がＯＦＦしているとき運転表示器は点灯のままで温度設定表示器を消灯するため、運転を確実にＯＦＦした状態と、学習運転により運転ＯＦＦしていているが時間により自動ＯＮする状態を新たに表示を追加することなく区別表示できる。
【００２２】
本発明の請求項３にかかる石油給湯装置は請求項１の構成に於いて、学習運転スイッチを有し、制御器は運転スイッチがＯＦＦの場合は気化式バーナーの制御を停止し、運転スイッチがＯＮの場合でも前記学習運転スイッチがＯＮで通電学習手段で学習したＯＮ／ＯＦＦパターンのＯＦＦ時間帯の場合前記気化式バーナーの制御を停止し、前記運転スイッチがＯＮで前記学習運転スイッチがＯＦＦの場合および前記運転スイッチがＯＮで前記学習運転スイッチがＯＮで学習したＯＮ／ＯＦＦパターンがＯＮ時間帯の場合前記気化式バーナーを制御し、給湯検知器で給湯を検出したら給湯温度検出器で検出した給湯温度が温度設定手段で設定した温度になるようにし、前記運転スイッチがＯＮで前記学習運転スイッチがＯＮのとき前記学習通電スイッチが操作されるとその時点の気化式バーナー制御のＯＮ／ＯＦＦ状態を反転するものである。
【００２３】
そして、学習運転スイッチがＯＮで過去の使用パターンに基づいて運転ＯＮ／ＯＦＦしているとき、学習通電スイッチを設けて手動でもＯＮ／ＯＦＦできるようにしたので、日曜日などの通常と使用パターンが異なる場合に学習運転スイッチをＯＮしたまま簡単な操作で気化式バーナーの制御をＯＮ／ＯＦＦできる。
【００２４】
さらに、学習運転スイッチがＯＮしたままなので以降のＯＮ／ＯＦＦは自動的におこなわれ、学習運転の省エネ等のメリットもそのまま継続できる。
【００２５】
さらに運転スイッチによる操作を優先してＯＦＦするようにしているので、外出等で石油給湯装置を使用しない場合、とにかく運転スイッチをＯＦＦすれば確実に石油給湯装置をＯＦＦできる。
本発明の請求項４にかかる石油給湯装置は請求項１の構成に於いて、操作器は運転スイッチを備え、制御器は運転ＯＮを継続する状態と、運転ＯＮを維持し一定時間給湯されなかったら自動ＯＦＦする状態と、通電学習手段により学習したＯＮ／ＯＦＦパターンに従って運転ＯＮ／ＯＦＦする状態を運転切替スイッチにより切り替え、運転ＯＦＦ時は前記気化式バーナーの制御を停止し、運転ＯＮ時は前記気化式バーナーを制御し、給湯検知器で給湯を検出したら給湯温度検出器で検出した給湯温度が温度設定手段で設定した温度になるようする制御器を有するものである。
【００２６】
そして、操作器の設定手段には学習したＯＮ／ＯＦＦパターンに従って気化式バーナーの制御をＯＮ／ＯＦＦする状態と、運転を自動ＯＦＦする状態と、連続して運転を継続する状態を運転切換スイッチで切り換えるようにしているため、毎日規則正しい生活をしていて節約家、生活は不規則であるが節約家、節約については無関心という全ての使用者に対して対応することができる。
【００２７】
本発明の請求項５にかかる石油給湯装置は請求項４の構成に於いて、制御器は運転スイッチがＯＦＦの場合は運転ＯＦＦとし、前記運転スイッチがＯＮの場合は運転ＯＮを継続する状態と、運転ＯＮを維持し一定時間給湯されなかったら自動ＯＦＦする状態と、前記通電学習手段により学習したＯＮ／ＯＦＦパターンに従って運転ＯＮ／ＯＦＦする状態を前記運転切替スイッチにより切り替え、運転ＯＦＦ時は前記気化式バーナーの制御を停止し、運転ＯＮ時は前記気化式バーナーを制御し、給湯検知器で給湯を検出したら給湯温度検出器で検出した給湯温度が温度設定手段で設定した温度になるようするものである。
【００２８】
そして、運転切換スイッチの設定、学習したＯＮ／ＯＦＦパターンに関わらず運転スイッチのＯＦＦを優先しているので、運転スイッチさえＯＦＦすれば確実に石油給湯装置の運転を停止することができる。
【００２９】
本発明の請求項６にかかる石油給湯装置は請求項２の構成に於いて、制御器は運転ＯＮを継続する連続運転状態と、運転ＯＮを維持し一定時間給湯されなかったら自動ＯＦＦする自動ＯＦＦ運転状態と、通電学習手段により学習したＯＮ／ＯＦＦパターンに従って運転ＯＮ／ＯＦＦする学習運転状態を運転切替スイッチにより切り替え、運転ＯＦＦ時は気化式バーナーの制御を停止し、運転ＯＮ時は前記気化式バーナーを制御し、給湯検知器で給湯を検出したら給湯温度検出器で検出した給湯温度が温度設定手段で設定した温度になるようにし、操作器の表示手段には時間帯に対応して表示素子を配置し、前記学習運転状態の時は前記通電学習手段により学習したＯＮ／ＯＦＦパターンに従って前記表示素子を点灯し、自動ＯＦＦ運転状態では前記表示素子を全て消灯し、連続運転状態では前記表示素子を全て点灯する運転パターン表示器を有するものである。
【００３０】
そして、運転パターン表示器が学習運転状態の時は学習したＯＮ／ＯＦＦパターンに従って表示素子を点灯し、自動ＯＦＦ運転状態では表示素子を全て消灯し、連続運転状態では表示素子を全て点灯するため、学習運転状態の時は生活パターンによって通電状態がどれだけ節約しているかが一目で解るように表示することができる。
【００３１】
また、同じ表示をつかって、自動ＯＦＦ運転状態になっていること、連続運転状態になっていることを表示し、各運転状態に対応し区別表示することができる。
【００３２】
本発明の請求項７にかかる石油給湯装置は請求項２の構成に於いて、操作器は少なくとも運転スイッチと運転切替スイッチと運転パターン変更スイッチと温度設定手段と温度設定や運転の状態を表示する表示手段を有した操作器と、少なくとも通電学習手段により学習したＯＮ／ＯＦＦパターンに従って運転ＯＮ／ＯＦＦする学習運転状態を有し、運転ＯＦＦ時は気化式バーナーの制御を停止し、運転ＯＮ時は前記気化式バーナーを制御し、給湯検知器で給湯を検出したら給湯温度検出器で検出した給湯温度が前記温度設定手段で設定した温度になるようする制御器と、前記操作器の表示手段には時間帯に対応して表示素子を配置し、前記学習運転状態の時は前記通電学習手段により学習したＯＮ／ＯＦＦパターンに従って前記表示素子を点灯する運転パターン表示器を設け、前記運転パターン変更スイッチによって前記通電学習手段によって学習したＯＮ／ＯＦＦパターンを各時間帯毎に変更するＯＮ／ＯＦＦパターン変更手段を有するものである。
【００３３】
そして、ＯＮ／ＯＦＦパターン変更手段で学習したＯＮ／ＯＦＦパターンを変更できるようにしているため、通常と異なった生活パターンをする場合に学習したＯＮ／ＯＦＦパターンを修正することができる。
【００３４】
本発明の請求項８にかかる石油給湯装置は請求項７の構成に於いて、ＯＮ／ＯＦＦパターン変更手段は運転パターン変更スイッチによって通電学習手段によって学習したＯＮ／ＯＦＦパターンを時間帯毎に学習の影響を受けないように固定した上で変更するものである。
【００３５】
そして、ＯＮ／ＯＦＦパターン変更手段で学習したＯＮ／ＯＦＦパターンを時間帯毎に学習の影響を受けないように固定できるため、朝の確実にＯＮしていて欲しい時間帯、また深夜の確実にＯＦＦしたい時間帯にイレギュラーな使用で不必要な学習をしてしまうことを防止できる。
【００３６】
【実施例】
以下、本発明の実施例について図面を用いて説明する。
【００３７】
（実施例１）
図１は本発明の実施例１の石油給湯装置を示す機能ブロック図。図２は同石油給湯装置の制御器での運転ＯＮ／ＯＦＦに関する処理を示すフローチャートである。
【００３８】
図１において、１は気化式バーナー、２は熱交換器、８は給水口３から流れ込む流量を検出する給湯検出器、９は給湯口４から給湯しているお湯の温度を検出する給湯温度検出器、５は気化式バーナ１を制御する制御器、１２は給湯検出器と制御器５の情報をもとに時間帯毎のＯＮ／ＯＦＦパターンをつくる通電学習手段、１４は操作器で、その中に石油給湯機の運転をＯＮ／ＯＦＦする運転スイッチ７、給湯温度の設定を行う温度設定手段１０、通電学習手段１２により学習したＯＮ／ＯＦＦパターンによる運転制御をＯＮ／ＯＦＦする学習運転スイッチ１３がある。従来例と同様の構成要素については同一番号が付してある。
【００３９】
次に動作、作用について説明する。運転ＯＮ時、給湯検出器８で給湯を検出したら給湯温度検出器９で検出した温度が温度設定手段１０で設定した温度になるよう制御器５で気化式バーナー１を制御して熱交換器２を通る給湯水を加熱する。
【００４０】
通電学習手段１２は内部に２４時間時計を持っていて、１時間毎に運転ＯＮの状態で出湯の累積時間が２分以上あったかどうかを給湯使用の有無データとして蓄積する。１日で２４時間帯のデータを７日分蓄積し、例えば午前１時から午前２時の時間帯が７日とも非使用であればその時間帯をＯＦＦ時間帯とし、１日でも使用していればＯＮ時間帯とする。他の時間帯も同様の方法でＯＮ／ＯＦＦを決定する。
【００４１】
７日分のデータは毎日最新データを追加するとともに７日前のデータを破棄する。従って、運転スイッチ、学習運転スイッチが共にＯＮしている学習運転時は７日間使用しない時間帯はＯＦＦ時間帯となり、１日でも使用すればその時間帯はＯＮ時間帯となる。
【００４２】
制御器５が気化式バーナー１を制御して給湯する運転ＯＮ状態と気化式バーナー１の制御を停止して給湯加熱しない運転ＯＦＦ状態は、運転スイッチ７、学習運転スイッチ１３と通電学習手段により学習したＯＮ／ＯＦＦパターンによる。
【００４３】
その動作を図２のフローチャートを使って説明する。まずステップ（以降ステップとする）Ｓ１で運転スイッチの状態をチェックする。運転スイッチがＯＦＦの場合は無条件にＳ９のＯＦＦ制御へ分岐し、気化式バーナーの制御等をＯＦＦする。運転スイッチがＯＮの場合はＳ２に分岐する。
【００４４】
Ｓ２では運転スイッチの前回値をチェックして、前回値がＯＦＦだった場合はＳ３でＯＮスタートフラグをＯＮする。
【００４５】
Ｓ４で学習運転スイッチの状態をチェックし、ＯＦＦの場合はＳ５でＯＮスタートフラグをＯＦＦしてＳ６のＯＮ制御を実行する。
【００４６】
Ｓ４で学習運転スイッチの状態がＯＮの場合は、Ｓ７でその時点に対応した時間帯のＯＮ／ＯＦＦパターンをチェックし、ＯＮの場合はＳ５でＯＮスタートフラグをＯＦＦしてＳ６のＯＮ制御を実行する。
【００４７】
Ｓ７でＯＮ／ＯＦＦパターンがＯＦＦの場合でもＳ８でＯＮスタートフラグがＯＮ、つまり学習運転スイッチがＯＮの時運転スイッチがＯＮされたらＳ６のＯＮ制御を実行する。
【００４８】
Ｓ８でＯＮスタートフラグもＯＦＦだった場合にＳ９のＯＦＦ制御を実行し図１の気化式バーナー１をＯＦＦの状態に制御する。
【００４９】
最後にＳ２で運転スイッチの変化をチェックするためにＳ１０で運転スイッチの状態を運転スイッチ前回値に設定する。
【００５０】
上記Ｓ１からＳ１０までの処理を周期的に繰り返し、運転スイッチをＯＦＦにすると無条件で給湯器の運転をＯＦＦし、運転スイッチがＯＮで学習運転スイッチがＯＮのとき学習したＯＮ／ＯＦＦパターンに従って給湯器の運転をＯＮ／ＯＦＦする。
【００５１】
また、学習運転スイッチがＯＦＦの場合は運転スイッチのＯＮ／ＯＦＦで給湯器の運転をＯＮ／ＯＦＦし、学習運転スイッチがＯＮでＯＮ／ＯＦＦパターンにより給湯器の運転がＯＦＦしているときでも運転スイッチを一旦ＯＦＦし再度ＯＮすることでＯＮスタートフラグをＯＮし、学習ＯＮ／ＯＦＦパターンが次にＯＮになるまでのＯＦＦの期間をＯＮすることができるようになっている。
【００５２】
運転スイッチ、学習運転スイッチがノンロックのタクトスイッチで構成されているため各スイッチに対応したスイッチフラグを設け、スイッチ検出処理でノイズ除去処理等をおこなって確定した値をもとに、スイッチがＯＮされる毎にスイッチフラグを反転させ、そのフラグをスイッチの状態として参照している。
【００５３】
（実施例２）
図３は本発明の実施例２の石油給湯装置の機能ブロック図、図４、図５、図６は本発明の実施例２の石油給湯装置の操作器を示す外観図である。
【００５４】
本実施例２において、実施例１と異なる点は操作器１４に表示手段１５と表示制御器１６を設けたことである。なお、実施例１と同一符号のものは同一構造を有し、説明は省略する。
【００５５】
次に動作、作用を説明する。図３の表示制御器１６は通電学習手段１２、制御器５からの情報をもとに表示手段１５の表示パターンを制御する。
【００５６】
図４は運転スイッチ７、学習運転スイッチ１３がともにＯＮで、学習したＯＮ／ＯＦＦパターンのＯＮ時間帯で石油給湯装置がＯＮ状態にある場合の表示パターンを示している。運転表示器１７、温度設定手段１０で設定された設定温度を表示する温度設定表示器１８はともに点灯状態にある。
【００５７】
１９は時計表示器で制御器５でカウントしている時計時刻を表示する。時計設定スイッチ２１で時刻あわせをおこなう。２０は運転パターン表示器で通電学習手段で学習したＯＮ／ＯＦＦパターンを表示する。２４時間の時間帯を１時間毎に区切り、各時間帯がＯＮかＯＦＦかを表示する。図４の場合は午前７時から午前１１時、午後０時から午後１時、午後４時から午後１１時がＯＮする時間帯になっている。２２は学習運転表示器で学習運転スイッチがＯＮしていることを表示し、図４の場合は点灯している。
【００５８】
図５は運転スイッチ７、学習運転スイッチ１３がともにＯＮで学習したＯＮ／ＯＦＦパターンのＯＦＦ時間帯で石油給湯装置がＯＦＦ状態にある場合の表示パターンを示している。この場合、運転表示器１７、学習運転表示器２２、運転パターン表示器２０が点灯し、時計表示器１９、温度設定表示器１８が消灯している。
【００５９】
図６は運転スイッチ７がＯＦＦで石油給湯装置がＯＦＦ状態にある場合の表示パターンを示している。この場合、運転表示器１７、学習運転表示器２２、運転パターン表示器２０、時計表示器１９、温度設定表示器１８の全てが消灯している。
【００６０】
図５、図６で示したように学習したＯＮ／ＯＦＦパターンで自動的にＯＮ／ＯＦＦする場合のＯＦＦ時間帯では運転表示器１７を点灯させておくことで絶対的に石油給湯装置がＯＦＦしていないことを表示するとともに温度設定表示器１８を消灯させることで出湯してもお湯がでない、つまり運転が停止していることを表示している。この実施例では時計表示器１９も消灯し、運転ＯＮ時に対して消灯する表示面積を大きくして、運転ＯＮ時との差を一目でわかるようにしている。
【００６１】
さらに、運転スイッチ７をＯＦＦして運転停止しているときは運転表示器１７を含む全ての表示器をＯＦＦすることで石油給湯装置が完全にＯＦＦしていることを表示している。
【００６２】
（実施例３）
図７は本発明の実施例３の石油給湯装置を示す機能ブロック図、図８は同石油給湯装置の制御器５での運転ＯＮ／ＯＦＦに関する処理を示すフローチャートである。本実施例３において、実施例１と異なる点は学習通電スイッチ２３を設けたことである。なお、実施例１と同一符号のものは同一構造を有し、説明は省略する。
【００６３】
次に動作、作用を説明する。図７の２３が学習通電スイッチである。このスイッチが操作されたときの詳細な動作を図８を用いて説明する。
【００６４】
まずＳ１１、Ｓ１２で学習パターンが前回値から変化したとき、つまり時間が経過してＯＮ時間帯からＯＦＦ時間帯に入ったとき、またはＯＦＦ時間帯からＯＮ時間帯に入ったとき切替フラグをＯＦＦする。
【００６５】
Ｓ１３で運転スイッチがＯＦＦのときはＳ２２で切替フラグをＯＦＦし、Ｓ２３のＯＦＦ制御を実行する。
【００６６】
Ｓ１３で運転スイッチがＯＮのとき、Ｓ１４、Ｓ１５で学習通電スイッチが操作されるたびに切替フラグをＯＮ／ＯＦＦ反転する。学習通電スイッチはタクトスイッチでＯＦＦからＯＮへの変化を検出してＳ１４での操作ありとしてＳ１５の処理を行うようになっている。
【００６７】
Ｓ１６で学習運転スイッチがＯＦＦのときはＳ１７で切替フラグをＯＦＦし、Ｓ１８のＯＮ制御を行う。
【００６８】
Ｓ１６で学習運転スイッチがＯＮのとき、Ｓ１９、Ｓ２０、Ｓ２１で切替フラグがＯＦＦのときは学習パターンに従ってＯＮ制御Ｓ１８、ＯＦＦ制御Ｓ２３をおこない、切替フラグがＯＮのときは学習パターンとは反対のＯＮ制御Ｓ１８、ＯＦＦ制御Ｓ２３を行うようになっている。
【００６９】
最後にＳ１１での判定のためＳ２４で学習パターンを前回値に保存する。
【００７０】
このように運転スイッチがＯＮで学習運転やスイッチがＯＮのとき、学習通電スイッチを操作することでそのときの運転状態を切り替えることができ、つぎの学習パターンが変化する時点で通常の学習パターンにもどすことができる。
【００７１】
また、当然のことながら実施例１と同様に運転スイッチをＯＦＦすれば無条件に石油給湯装置の運転をＯＦＦすることができる。
【００７２】
（実施例４）
図９は本発明の実施例４の石油給湯装置の機能ブロック図、図１０は同石油給湯装置の制御器５での運転ＯＮ／ＯＦＦに関する処理を示すフローチャートである。なお、実施例１と同一符号のものは同一構造を有し、説明は省略する。本実施例４は請求項４、請求項５に対応している。
【００７３】
本実施例４において、実施例１と異なる点は、１時間給湯がなかったら自動ＯＦＦする運転状態を設け、運転切替スイッチ２４で学習したＯＮ／ＯＦＦパターンで自動的にＯＮ／ＯＦＦする状態と、運転スイッチにより手動でＯＮ／ＯＦＦする状態と、１時間給湯がなかったら自動ＯＦＦする状態を切り替えられるようにした点である。
【００７４】
また新たに設けた自動ＯＦＦする状態でも運転スイッチをＯＦＦすることで石油給湯装置の運転を無条件にＯＦＦできるようにした点である。
【００７５】
次に動作、作用を図１０で説明する。Ｓ２５で運転スイッチがＯＦＦの場合Ｓ２６でＯＮスタートフラグをＯＮ、Ｓ２７で自動ＯＦＦタイマを１時間に初期化しＳ３６のＯＦＦ制御を実行する。自動ＯＦＦタイマは０になるまで常時カウントダウンするタイマで、カウントダウンの具体的な処理については説明を省略する。
【００７６】
Ｓ２５で運転スイッチがＯＮの場合、Ｓ２８で運転切替スイッチの状態をチェックし、自動ＯＦＦになっているときはＳ２９で自動ＯＦＦタイマをチェックし０のときはカウントアップしているとしてＳ３０で運転スイッチをＯＦＦにしてＳ３６のＯＦＦ制御を実行する。Ｓ２９で自動ＯＦＦタイマがカウント中の場合はＳ３３のＯＮ制御をおこなう。
【００７７】
Ｓ３１で運転切替スイッチが学習運転でないときはＳ３２でＯＮスタートフラグをＯＦＦしＳ３３のＯＮ制御を行う。
【００７８】
Ｓ３１で運転切替スイッチが学習運転のときはＳ３４で学習したＯＮ／ＯＦＦパターンを参照しＯＮ時間帯の時はＳ３２でＯＮスタートフラグをＯＦＦしＳ３３のＯＮ制御を行う。
【００７９】
Ｓ３４でＯＦＦ時間帯の時、Ｓ３５でＯＮスタートフラグがＯＮの場合はＳ３３のＯＮ制御を実行し、ＯＮスタートフラグがＯＦＦの場合はＳ３６のＯＦＦ制御を実行する。
【００８０】
さらにＳ３３でＯＮ制御した場合、Ｓ３７で給湯検出器８をチェックし、給湯を検出したときはＳ３８で自動ＯＦＦタイマを１時間に初期化するようになっている。
【００８１】
このように自動ＯＦＦタイマは運転スイッチがＯＦＦのとき、ＯＮ制御時に給湯があった場合に常時初期化されるので結果カウントアップせず、運転スイッチがＯＮで給湯していないとき初期化されないのでタイマが０になるまでカウントダウンするようになっている。従って、Ｓ２９では運転切替スイッチが自動ＯＦＦになっていて運転スイッチがＯＮのとき給湯がない状態が１時間続いたら運転スイッチをＯＦＦにして自動ＯＦＦする。
【００８２】
また、学習したＯＮ／ＯＦＦパターンにより自動的にＯＮ／ＯＦＦする状態と、運転スイッチにより手動でＯＮ／ＯＦＦする状態と、給湯がない状態、つまり使用していない状態が１時間つづいたら自動ＯＦＦする状態を運転切替スイッチにより切り替えることかできる。
【００８３】
また、前記３つの状態とは無関係に運転スイッチをＯＦＦすることで石油給湯装置の運転をＯＦＦすることができる。
【００８４】
（実施例５）
図１１は本発明の実施例５の石油給湯装置の機能ブロック図、図１２、図１３、図１４は本発明の実施例５の石油給湯装置の操作器の表示状態を示した外観図である。本実施例５において、実施例２、実施例４と異なる点は運転切替スイッチで切り替えた状態に対応し、運転パターン表示器の点灯状態を変化させる表示制御器を設けた点である。なお、実施例２、実施例４と同一符号のものは同一構造を有し、説明は省略する。
【００８５】
次に動作、作用を説明する。図１１の表示制御器１６は実施例２と同様に制御器５、通電学習手段１２からの情報をもとに表示手段１５の表示を制御するようになっている。
【００８６】
このとき本実施例では実施例４と同様に運転切替スイッチ２４で、学習運転状態、自動ＯＦＦ状態、手動ＯＮ／ＯＦＦ状態を切り替えるようになっている。従って、表示制御器１６は前記３つの状態を運転パターン表示器を使って表示するようになっている。
【００８７】
図１２は学習運転状態の時の通電パターン表示器２０の表示状態を示している。つまり学習運転状態の時は学習したＯＮ／ＯＦＦパターンに従って石油給湯装置の運転をＯＮ／ＯＦＦする状態なので表示制御器１６はその動作状態を一目で直感できるようにＯＮ／ＯＦＦパターンのデータを元にした表示を行う。
【００８８】
図１３は学習運転、自動ＯＦＦともにＯＦＦしている状態、つまり運転スイッチを手動で操作しない限り石油給湯装置の運転を連続ＯＮするときの通電パターン表示器２０の表示状態を示している。連続して運転をＯＮするので、表示制御器１６は運転パターン表示器２０の表示を学習したＯＮ／ＯＦＦパターンに関係なく全時間帯を点灯して、連続ＯＮ状態にあることを表示する。
【００８９】
図１４は１時間給湯しないと自動的に石油給湯装置の運転をＯＦＦする自動ＯＦＦ状態のときの通電パターン表示器２０の表示状態を示している。この場合は１時間使用しないと自動ＯＦＦせず、自動的にはＯＮすることがないので通電パターン表示器２０の全時間帯を消灯して表示する。
【００９０】
この実施例では学習運転状態のとき点灯する学習運転表示器２２、自動ＯＦＦ状態の時点灯する自動ＯＦＦ運転表示器２５も併用しているが、これを省略することもできる。
【００９１】
また、運転切替スイッチ２４を学習運転をＯＮするスイッチ、自動ＯＦＦをＯＮするスイッチで構成しているが、３つの状態を順次切り替える１つのスイッチで構成することも可能である。
【００９２】
（実施例６）
図１５は本発明の実施例６の石油給湯装置の機能ブロック図、図１６は本発明の実施例６の石油給湯装置の操作器を示す外観図である。本実施例６において、実施例５と異なる点は運転パターン変更スイッチ２６を設け、ＯＮ／ＯＦＦパターン変更手段２７で学習したＯＮ／ＯＦＦパターンを変更できるようにした点である。なお、実施例５と同一符号のものは同一構造を有し、説明は省略する。
【００９３】
次に動作、作用を説明する。運転パターン変更スイッチ２６は選択スイッチと反転スイッチで構成される。選択スイッチが操作されると運転パターン表示器２０のその時点の時間帯を点滅させるとともに運転パターン変更モードとする。点滅周期は１Ｈｚとし、その時間帯がＯＮ時間帯の時は点灯０.８秒消灯０.２秒、ＯＦＦ時間帯のときは点灯０.２秒消灯０.８秒とすることで点滅中もその時間帯がＯＮ時間帯かＯＦＦ時間帯かが解るようにする。
【００９４】
運転パターン変更モードは運転パターン変更スイッチ２６が１５秒間操作されないと自動的に解除する。
【００９５】
運転パターン変更モード中に選択スイッチを操作すると点滅させる時間帯を１つずらし時間帯を選択できるようにする。
【００９６】
また運転パターン変更モード中に反転スイッチが操作されるとその時間帯のＯＮ／ＯＦＦを反転させるとともに、蓄積した７日間のその時間帯の履歴データも反転させたデータに初期化する。たとえば、ＯＮに反転させたら履歴データも７日すべて使用ありのデータに初期化する。このことで、特定の時間帯のＯＮ／ＯＦＦを自由に変更することができる。
【００９７】
（実施例７）
図１７は本発明の実施例７の石油給湯装置の操作器を示す外観図、図１８は本発明の実施例７の石油給湯装置操作器の運転パターン表示器の拡大図である。本実施例７において、実施例６と異なる点は通電学習手段１２に各時間帯に対応した固定フラグと固定ＯＮ／ＯＦＦパターンデータを設け、学習運転状態のとき固定フラグがＯＮしている時間帯は固定ＯＮ／ＯＦＦパターン、固定フラグがＯＦＦしている時間帯は学習したＯＮ／ＯＦＦパターンにより石油給湯装置の運転をＯＮ／ＯＦＦするとともに、ＯＮ／ＯＦＦパターン変更手段２７に固定フラグと固定ＯＮ／ＯＦＦパターンを更新できる機能を付加した点である。なお、実施例６と同一符号のものは同一構造を有し、説明は省略する。
【００９８】
次に動作、作用を説明する。運転パターン設定スイッチ２７は選択スイッチと設定スイッチで構成される。また、図１８に示すように運転パターン表示器２０は固定表示２８とＯＮ／ＯＦＦパターン表示２９で構成される。固定表示器２８は通電学習手段１２の固定フラグに対応した表示である。また、ＯＮ／ＯＦＦパターン表示２９には固定フラグがＯＮしている時間帯は固定ＯＮ／ＯＦＦパターンを表示し、固定フラグがＯＦＦしている時間帯は学習ＯＮ／ＯＦＦパターンを表示するようになっている。
【００９９】
図１８の場合は午前０時から午前８時までが固定され学習によって状態が変化しないようになっている。
【０１００】
選択スイッチを操作すると実施例６と同様にＯＮ／ＯＦＦパターン表示のその時点での時間帯の表示が点滅する。ＯＮ時間帯、ＯＦＦ時間帯によって点滅デューティーが変化すること、運転パターン変更モードに関するモード遷移も実施例６と同様である。
【０１０１】
運転パターン変更モードで設定スイッチを操作すると、点滅している時間帯の状態から固定フラグＯＮで固定ＯＮ／ＯＦＦパターンＯＮと固定フラグＯＮで固定ＯＮ／ＯＦＦパターンＯＦＦと固定フラグＯＦＦの３つの状態にループ方式でデータを更新する。
【０１０２】
このように運転パターン設定スイッチ２７を操作することによって所定の時間帯を固定し、学習によってＯＮ／ＯＦＦ時間帯が変化しないようにすることができる。
【０１０３】
【発明の効果】
以上説明したように本発明の請求項１に係る石油給湯装置は、運転スイッチと学習運転スイッチをＯＮにすれば、通電学習手段が過去の使用パターンから時間帯毎に学習したＯＮ／ＯＦＦパターンを決定し、制御器が決定したＯＮ／ＯＦＦパターンに従って気化式バーナーの制御をＯＮ／ＯＦＦするのでプログラムタイマの設定に相当する複雑な操作をすることなしに使用しない時間帯の運転を停止することができるので、機械の操作の苦手な使用者にも使用してもらうことができ、省電力の実をあげることができる。
【０１０４】
学習運転スイッチがＯＦＦのとき石油給湯装置の運転を運転スイッチによりＯＮ／ＯＦＦするとともに、学習運転スイッチがＯＮしていて過去の使用パターンに従って気化式バーナーの制御をＯＮ／ＯＦＦしている状態でも運転スイッチによる操作を優先してＯＦＦするようにしているので、外出等で石油給湯装置を使用しない場合、とにかく運転スイッチをＯＦＦすれば確実に石油給湯装置をＯＦＦできるという安全側の操作を容易にした使用者に安心感をあたえる石油給湯機を提供できる。
【０１０５】
また、請求項２に係る石油給湯装置は気化式バーナーの制御をＯＮしているときは運転表示器と温度設定表示器を点灯し、運転スイッチをＯＦＦして運転がＯＦＦしているときは運転表示器と温度設定表示器を消灯し、学習運転スイッチがＯＮの状態で学習運転により運転がＯＦＦしているとき運転表示器は点灯のままで温度設定表示器を消灯するので、運転を確実にＯＦＦした状態と、学習運転により運転ＯＦＦしていているが時間により自動ＯＮする状態を新たに表示を追加することなく区別表示できる。また、一般的には運転表示器をＬＥＤ等のポイント表示、温度設定表示器をＬＣＤ等による面表示にする場合が多く、その場合学習運転によりＯＦＦしている状態を表示面積のおおい温度設定表示器を消灯して表現しているのでＯＦＦしているということをイメージ的に使用者に認知してもらえる。
【０１０６】
また、請求項３に係る石油給湯装置は、学習運転スイッチがＯＮで過去の使用パターンに基づいて運転ＯＮ／ＯＦＦしているのを、学習通電スイッチを設けて手動でもＯＮ／ＯＦＦできるようにしたので、日曜日等の通常と使用パターンが異なる場合に学習運転スイッチをＯＮしたまま簡単な操作で気化式バーナーの制御をＯＮ／ＯＦＦできるので非常に使い勝手が良くなる。さらに、学習運転スイッチがＯＮしたままなので以降のＯＮ／ＯＦＦは自動的におこなわれ、学習運転の省エネ等のメリットもそのまま継続できる。さらに運転スイッチによる操作を優先してＯＦＦするようにしているので、外出等で石油給湯装置を使用しない場合、とにかく運転スイッチをＯＦＦすれば確実に石油給湯装置をＯＦＦできるので使用者に安心感をあたえる。
【０１０７】
また、請求項４に係る石油給湯装置は、操作器の設定手段には学習したＯＮ／ＯＦＦパターンに従って気化式バーナーの制御をＯＮ／ＯＦＦする状態と、前記運転を自動ＯＦＦする状態と、連続して運転を継続する状態を運転切換スイッチで切り換えることができるので、毎日規則正しい生活をしていて節約家、生活は不規則であるが節約家、節約については無関心という全ての使用者に対して対応できる。
【０１０８】
また、請求項５に係る石油給湯装置は運転切換スイッチの設定に関わらず運転スイッチによる操作を優先して運転をＯＦＦできるようにしているので、外出等で石油給湯装置を使用しない場合、とにかく運転スイッチをＯＦＦすれば確実に石油給湯装置をＯＦＦできるという安全側の操作を容易にした使用者に安心感をあたえる石油給湯機を提供できる。
【０１０９】
また、請求項６に係る石油給湯装置は、操作器の表示手段に時間帯に対応した運転パターン表示器を設け、学習運転状態の時は学習したＯＮ／ＯＦＦパターンに従って表示素子を点灯し、自動ＯＦＦ運転状態では表示素子を全て消灯し、連続運転状態では表示素子を全て点灯するようにしたので、学習運転状態の時は生活パターンによって通電状態がどれだけ節約しているかが一目で解る。また、同じ表示をつかって、自動ＯＦＦ運転状態になっていること、連続運転状態になっていることを表示し、各運転状態にイメージ的に対応した表示となっているので、使用者が複雑な仕様を理解することなく、運転パターン表示器によって感覚的に運転状態を選択することができる。
【０１１０】
また、請求項７に係る石油給湯装置は、ＯＮ／ＯＦＦパターン変更手段を設け、学習したＯＮ／ＯＦＦパターンを変更できるようにしているので、一時的に通常と異なった生活パターンに対応することができる。また、自動的に学習によって通常の生活パターンに戻ってゆくので設定をもとに戻す必要がなく操作面での煩わしさを軽減できる。
【０１１１】
また、請求項８に係る石油給湯装置は、ＯＮ／ＯＦＦパターン変更手段を設け、学習したＯＮ／ＯＦＦパターンを時間帯毎に学習の影響を受けないように固定した上でＯＮ／ＯＦＦパターンを設定できるようにしているので、朝の確実にＯＮしていて欲しい時間帯、また深夜の確実にＯＦＦしたい時間帯に対応できるとともに、その他の時間帯は生活パターンの変化に応じて変化するというより使用者の意志を反映した通電学習ができる。
【図面の簡単な説明】
【図１】本発明の実施例１の石油給湯装置を示す機能ブロック図
【図２】同石油給湯装置の制御器での運転ＯＮ／ＯＦＦに関する処理を示すフローチャート
【図３】本発明の実施例２の石油給湯装置の機能ブロック図
【図４】同石油給湯装置の操作器を示す外観図
【図５】同石油給湯装置の操作器を示す外観図
【図６】同石油給湯装置の操作器を示す外観図
【図７】本発明の実施例３の石油給湯装置を示す機能ブロック図
【図８】同石油給湯装置の制御器での運転ＯＮ／ＯＦＦに関する処理を示すフローチャート
【図９】本発明の実施例４の石油給湯装置の機能ブロック図
【図１０】同石油給湯装置の制御器での運転ＯＮ／ＯＦＦに関する処理を示すフローチャート
【図１１】本発明の実施例５の石油給湯装置の機能ブロック図
【図１２】同石油給湯装置の操作器の表示状態を示した外観図
【図１３】同石油給湯装置の操作器の表示状態を示した外観図
【図１４】同石油給湯装置の操作器の表示状態を示した外観図
【図１５】本発明の実施例６の石油給湯装置の機能ブロック図
【図１６】同石油給湯装置の操作器を示す外観図
【図１７】本発明の実施例７の石油給湯装置の操作器を示す外観図
【図１８】同石油給湯装置操作器の運転パターン表示器の拡大図
【図１９】従来例の石油給湯装置の機能ブロック図
【符号の説明】
１  気化式バーナー
２  熱交換器
３  給水口
４  給湯口
５  制御器
６  タイマ部
７  運転スイッチ
８  給湯検出器
９  給湯温度検出器
１０  温度設定手段
１１  タイマ設定手段
１２  通電学習手段
１３  学習運転スイッチ
１４  操作器
１５  表示手段
１６  表示制御器
１７  運転表示器
１８  温度設定表示器
１９  時計表示器
２０  運転パターン表示器
２１  時計設定スイッチ
２２  学習運転表示器
２３  学習通電スイッチ
２４  運転切替スイッチ
２５  自動ＯＦＦ運転表示器
２６  運転パターン変更スイッチ
２７  ＯＮ／ＯＦＦパターン変更手段
２８  固定表示
２９  ＯＮ／ＯＦＦパターン表示
【図１】
0003956537.tif 000002
【図２】
0003956537.tif 000003
【図３】
0003956537.tif 000004
【図４】
0003956537.tif 000005
【図５】
0003956537.tif 000006
【図６】
0003956537.tif 000007
【図７】
0003956537.tif 000008
【図８】
0003956537.tif 000009
【図９】
0003956537.tif 000010
【図１０】
0003956537.tif 000011
【図１１】
0003956537.tif 000012
【図１２】
0003956537.tif 000013
【図１３】
0003956537.tif 000014
【図１４】
0003956537.tif 000015
【図１５】
0003956537.tif 000016
【図１６】
0003956537.tif 000017
【図１７】
0003956537.tif 000018
【図１８】
0003956537.tif 000019
【図１９】
0003956537.tif 000020